(57)【要約】【課題】簡単に組み立てて、地震の大きな揺れに対しても、家具の転倒を確実に防止できる家具転倒防止箱を提供する。【解決手段】家具と天井の間に介在させて、地震発生時の家具の揺動を抑制し、家具の転倒を防止する段ボール製の家具転倒防止箱において、胴側板３，４を折目線を介して連設した角筒状の胴枠１と、基板８の周囲に側壁９，１０を設けた一対のトレイ体２とから成り、胴枠１に、全周に及ぶ切目線７を、上下方向に間隔をあけて複数本入れ、トレイ体２の側壁９，１０で胴枠１の胴側板３，４を包囲するように、胴枠１の上下にトレイ体２を対向させて被せた構成とする。家具と天井の間隔に応じて、胴枠１をいずれかの切目線７に沿って適宜切断するだけで、高さを調整でき、トレイ体２の広い面で荷重を受け止めるので、地震の揺れが大きくても、家具の転倒を防止することができる。【選択図】図１
2014087394.tif 000002
【特許請求の範囲】
【請求項１】
家具(W)と天井(C)の間に介在させて、地震発生時の家具(W)の揺動を抑制し、家具(W)の転倒を防止する段ボール製の家具転倒防止箱において、胴側板(3,4)を折目線を介して連設した角筒状の胴枠(1)と、基板(8)の周囲に側壁(9,10)を設けた一対のトレイ体(2)とから成り、胴枠(1)に、全周に及ぶ切目線(7)を、上下方向に間隔をあけて複数本入れ、トレイ体(2)の側壁(9,10)で胴枠(1)の胴側板(3,4)を包囲するように、胴枠(1)の上下にトレイ体(2)を対向させて被せたことを特徴とする家具転倒防止箱。
【発明の詳細な説明】
【技術分野】
【０００１】
この発明は、地震発生時の家具の転倒を防止する家具転倒防止箱に関するものである。
【背景技術】
【０００２】
大きな地震が発生すると、家具が揺動して転倒することがあり、特に背の高い箪笥が転倒した場合、人に当たって重傷や死亡災害に至るおそれがある。このため、一般に、家具と天井との間に伸縮棒を挿入し、その突っ張りにより、家具の揺動を抑制して、家具の転倒を防止する対策が採られている。
【０００３】
また、家具と天井の間に箱体を介在させることにより、家具の揺動を抑制し、家具の転倒を防止する対策も考えられ、下記特許文献１には、このような家具転倒防止具として、図７に示すようなものが記載されている。
【０００４】
この転倒防止具Ｔは、２つのコ字形部材５１，５２を上下に対向させて嵌め合わせ、一方のコ字形部材５１の側壁に上下方向の長穴５３を設け、長穴５３に挿通した固定ねじ５４を、他方のコ字形部材５２のねじ穴又はナットにねじ込んで、コ字形部材５１，５２を互いに固定するものである。
【０００５】
上記転倒防止具Ｔを使用して、図８に示すように、様々な高さの家具Ｗの転倒を防止するには、固定ねじ５４を緩めておき、家具Ｗと天井Ｃの間隔に応じて、コ字形部材５１，５２を相対的に上下方向にスライドさせ、コ字形部材５１，５２がそれぞれ天井Ｃ及び家具Ｗに接する高さとなる位置で、固定ねじ５４を締め付ける。
【先行技術文献】
【特許文献】
【０００６】
【特許文献１】実開昭６０−２５４５１号公報
【発明の概要】
【発明が解決しようとする課題】
【０００７】
しかしながら、上記のような伸縮棒を使用した対策では、家具及び天井に対し伸縮棒の端部が点状の接触となるため、地震の揺れが非常に大きい場合、突っ張り状態が外れて、家具を支えることができなくなる場合がある。
【０００８】
また、特許文献１に記載の転倒防止具Ｔでは、組立作業性が悪く、コ字形部材５１，５２の材料として段ボールを使用すると、固定ねじ５４を強く締め付けた場合、長穴５３の周縁部等が破れて、コ字形部材５１，５２を十分に固定できなくなるおそれがある。
【０００９】
そこで、この発明は、簡単に組み立てて、地震の大きな揺れに対しても、家具の転倒を確実に防止できる家具転倒防止箱を提供しようとするものである。
【課題を解決するための手段】
【００１０】
上記課題を解決するため、この発明は、家具と天井の間に介在させて、地震発生時の家具の揺動を抑制し、家具の転倒を防止する段ボール製の家具転倒防止箱において、胴側板を折目線を介して連設した角筒状の胴枠と、基板の周囲に側壁を設けた一対のトレイ体とから成り、胴枠に、全周に及ぶ切目線を、上下方向に間隔をあけて複数本入れ、トレイ体の側壁で胴枠の胴側板を包囲するように、胴枠の上下にトレイ体を対向させて被せた構成としたのである。
【発明の効果】
【００１１】
この家具転倒防止箱では、組み立てに工具が不要で糊付の使用もなく、家具と天井の間隔に応じて、胴枠をいずれかの切目線に沿って適宜切断するだけで、高さを調整でき、組立状態で、トレイ体の側壁が胴枠の胴側板を包囲するので、強度に優れ、地震発生時の家具の揺動を抑制することができる。
【００１２】
また、トレイ体の基板が底面及び天面となり、広い面で荷重を受け止めるので、地震の揺れが大きくても、家具の転倒を防止することができる。
【図面の簡単な説明】
【００１３】
【図１】この発明の実施形態に係る家具転倒防止箱の組立状態を示す斜視図
【図２】同上の組立過程を示す斜視図
【図３】同上の家具と天井の間隔に応じた使用状態を示す正面図
【図４】同上の胴枠とトレイ体のブランクを示す図
【図５】同上の一対の胴枠の対向状態を示す斜視図
【図６】同上のトレイ体の組立状態を示す斜視図
【図７】従来の家具の転倒防止具を示す斜視図
【図８】同上の家具と天井の間隔に応じた使用状態を示す正面図
【発明を実施するための形態】
【００１４】
以下、この発明の実施形態を添付図面に基づいて説明する。
【００１５】
図１に示すように、この家具転倒防止箱Ｂは、段ボールを材料とするものであり、四角筒状の胴枠１と、その上下に被せられる一対のトレイ体２とから構成される。
【００１６】
胴枠１は、図４に示すブランクを２枚組み合わせて形成されるものである。このブランクでは、段ボールの段目方向を上下方向へ向けて、胴側板３，４が折目線を介して横に連設され、胴側板３の側端縁には凸部５が、胴側板４の側端縁には凹部６がそれぞれ対応する位置に複数設けられている。
【００１７】
そして、このブランクの上部及び下部には、それぞれ３本及び２本の切目線７が上端縁及び下端縁に平行に間隔をあけて入れられている。切目線７の間隔は、家屋の天井及び家具の一般的な高さの段階を考慮して決定されている。
【００１８】
ここで、切目線７は、段ボールの表裏に貫通した切目が断続するミシン目状のものを図示しているが、段ボールを厚さ方向の途中まで連続的に切り込んだ半切線や、段ボールの片面のライナーのみを切断したライナーカット線としてもよい。
【００１９】
このような胴枠１のブランクは、図５に示すように、胴側板３，４の境界の折目線に沿って直角に折り曲げた状態で、胴側板３，４がそれぞれ対向するように２枚向き合わせ、互いの凸部５が凹部６に噛み合うようにする。
【００２０】
一方、トレイ体２は、図４に示すブランクを組み立てて形成されるものである。このブランクでは、基板８の一方の対向辺に側壁９となる部分が、他方の対向辺に側壁１０となる部分がそれぞれ連設され、側壁９，１０は、二重構造となるように折目線を入れて構成されている。
【００２１】
側壁９の両側には、外面側となる部分と内面側となる部分のそれぞれに折込片１１が連設され、側壁１０の両側先端部には突起１２が、側壁９の両側の折込片１１との境界部には切込１３がそれぞれ設けられている。
【００２２】
このようなトレイ体２のブランクは、図６に示すように、基板８から側壁９を起立させて、巻き込むように折り曲げ、折込片１１を重ねて内側へ折り曲げた後、基板８から側壁１０を起立させて、折込片１１を挟みつつ巻き込むように折り曲げ、突起１２を切込１３に係合させることにより組み立てられる。
【００２３】
そして、この家具転倒防止箱Ｂを使用する際には、図２に示すように、開口側を上へ向けた下方のトレイ体２に、四角筒状とした胴枠１の下部を挿入し、その後、図１に示すように、開口側を下へ向けた上方のトレイ体２を、胴枠１の上部に被せる。
【００２４】
この組み立てに際し、胴枠１にトレイ体２を嵌める前に、胴枠１をいずれかの切目線７で適宜切断することにより、図３に示すように、家具転倒防止箱Ｂは、家具Ｗと天井Ｃの間隔に応じて、高さを調整した状態で、家具Ｗに載せ、家具Ｗと天井Ｃの間に介在させることができる。
【００２５】
なお、図３の左端に示すように、家具Ｗと天井Ｃの間隔が広い場合には、胴枠１を切断する必要はない。また、いずれの場合でも、家具Ｗに載せた状態において、家具転倒防止箱Ｂと天井Ｃの間には、若干の隙間が開いてもよい。
【００２６】
このように、上記家具転倒防止箱Ｂでは、組み立てに工具が不要で糊付の使用もなく、家具Ｗと天井Ｃの間隔に応じて、胴枠１をいずれかの切目線７に沿って適宜切断するだけで、高さを調整でき、組立状態で、トレイ体２の側壁９，１０が胴枠１の胴側板３，４を包囲するので、強度に優れ、地震発生時の家具Ｗの揺動を抑制することができる。
【００２７】
また、トレイ体２の基板８が底面及び天面となり、広い面で荷重を受け止めるので、地震の揺れが大きくても、家具Ｗの転倒を防止することができる。
【００２８】
そのほか、箱内に防災用品等を収納しておくこともでき、家具Ｗと天井Ｃの間のスペースを有効に活用することができる。
【００２９】
ところで、上記実施形態では、胴枠１が２枚のブランクから成るものを例示したが、胴枠１は、１枚のブランクを折り曲げて形成するものとしてもよく、胴側板３，４が分離した４枚のブランクをコーナーで接合するものとしてもよい。
【００３０】
また、家具転倒防止箱Ｂとして、組立状態で四角柱状となるものを例示したが、家具転倒防止箱Ｂは、胴枠１及びトレイ体２の形状を変更し、六角柱状や八角柱状等となるものとしてもよい。
【符号の説明】
【００３１】
１  胴枠
２  トレイ体
３，４  胴側板
５  凸部
６  凹部
７  切目線
８  基板
９，１０  側壁
１１  折込片
１２  突起
１３  切込
Ｂ  家具転倒防止箱
Ｃ  天井
Ｗ  家具
【図１】
2014087394.tif 000003
【図２】
2014087394.tif 000004
【図３】
2014087394.tif 000005
【図４】
2014087394.tif 000006
【図５】
2014087394.tif 000007
【図６】
2014087394.tif 000008
【図７】
2014087394.tif 000009
【図８】
2014087394.tif 000010